(57)【要約】 【課題】少なくとも第１の表示部と第２の表示部とを相互に関連付けて有効に利用できるようにする。 【解決手段】ＣＰＵは、実行されているアプリケーションの処理内容をメイン画面１Ｄに表示させ、この実行アプリケーションの処理内容に応じてそれに関連する参考情報を特定してサブ画面１Ｅに表示させる。 【選択図】  図２
2008153904.tif 000002
【特許請求の範囲】
【請求項１】
少なくとも第１の表示部と第２の表示部とを備えた携帯端末装置であって、
複数のアプリケーションを個別に実行処理する実行手段と、
この実行手段によって実行されるアプリケーションの処理内容を前記第１の表示部に表示させる第１の表示制御手段と、
前記実行アプリケーションの処理内容に応じてそれに関連する参考情報を特定する特定手段と、
この特定手段によって特定された参考情報を前記第２の表示部に表示させる第２の表示制御手段と、
を具備したことを特徴とする携帯端末装置。
【請求項２】
表示部筐体と操作部筐体との配置関係を変えることで装置本体を複数のスタイルに変更可能な携帯端末装置であって、
表示部筐体の表裏両面のうちその一方に前記第１の表示部を配置し、他方に前記第２の表示部を配置した状態において、前記第１の表示部がユーザに対面する第１のスタイルから前記第２の表示部がユーザに対面する第２のスタイルに変更された際に、前記第２の表示制御手段は、前記特定された参考情報を前記第２の表示部に表示させる、
ようにしたことを特徴とする請求項１記載の携帯端末装置。
【請求項３】
前記実行手段によってアプリケーションが実行開始された際、あるいは前記第１のスタイルから前記第２のスタイルに変更された際に、前記特定手段は、当該実行アプリケーションに関連する参考情報を特定する、
ようにしたことを特徴とする請求項２記載の携帯端末装置。
【請求項４】
前記実行アプリケーションが電子メールを処理するメールアプリケーションである場合に、前記第１の表示部には、当該メールアプリケーションによって処理されたメール内容が表示され、前記第２の表示部には、このメール内容の表示時に日時確認用として参考される可能性があるカレンダ情報が参考情報として表示される、
ことを特徴とする請求項１記載の携帯端末装置。
【請求項５】
前記カレンダ情報には、ユーザが任意に設定したスケジュール情報が対応付けられており、ユーザ操作でカレンダ情報からスケジュール情報への切り替えが指示された際に、このスケジュール情報を前記第２の表示部に切り替え表示させる、
ようにしたことを特徴とする請求項４記載の携帯端末装置。
【請求項６】
前記メール本文を解析しながらその中に日付が含まれているか否かを判別する判別手段を設け、
この判別手段による判別の結果、日付が含まれていれば、この日付を含むカレンダ情報を前記第２の表示部に表示させ、日付が含まれていなければ、現在日を含むカレンダ情報を前記第２の表示部に表示させる、
ようにしたことを特徴とする請求項４記載の携帯端末装置。
【請求項７】
前記メール本文を解析しながらその中に特定キーワードが含まれているか否かを判別する判別手段を設け、
この判別手段による判別の結果、特定キーワードが含まれていれば、前記第２の表示部に参考情報を表示させる、
ようにしたことを特徴とする請求項１記載の携帯端末装置。
【請求項８】
前記実行アプリケーションがテレビ放送受信アプリケーションである場合に、前記第１の表示部には、当該メールアプリケーションによって受信処理された放送内容が表示され、前記第２の表示部には、この放送内容の表示時に番組確認用として参考される可能性がある情報が参考情報として表示される、
ようにしたことを特徴とする請求項１記載の携帯端末装置。
【請求項９】
少なくとも第１の表示部と第２の表示部とを備えた携帯端末装置であって、
受信した電子メールの内容を前記第１の表示部に表示させる第１の表示制御手段と、
受信した電子メール内に特定キーワードが含まれているか否かを判別する判別手段と、
この判別手段によって特定キーワードが含まれていることが判別された場合に、この特定キーワードに対応付けられているアプリケーションを起動する起動手段と、
この起動手段によって起動されたアプリケーションの実行によって前記特定キーワードに関連する参考情報を特定する特定手段と、
この特定手段によって特定された参考情報を前記第２の表示部に表示させる第２の表示制御手段と、
を具備したことを特徴とする携帯端末装置。
【請求項１０】
表示部筐体と操作部筐体との配置関係を変えることで装置本体を複数のスタイルに変更可能な携帯端末装置であって、
表示部筐体の表裏両面のうちその一方に前記第１の表示部を配置し、他方に前記第２の表示部を配置した状態において、前記第１の表示部がユーザに対面する第１のスタイルから前記第２の表示部がユーザに対面する第２のスタイルに変更された際に、前記第２の表示制御手段は、前記特定された参考情報を前記第２の表示部に表示させる、
ようにしたことを特徴とする請求項９記載の携帯端末装置。
【請求項１１】
コンピュータに対して、
複数のアプリケーションを個別に実行処理する機能と、
実行されているアプリケーションの処理内容を第１の表示部に表示する機能と、
前記実行アプリケーションの処理内容に応じてそれに関連する参考情報を特定する機能と、
前記特定された参考情報を第２の表示部に表示する機能と、
を実現させるためのプログラム。
【請求項１２】
コンピュータに対して、
受信した電子メールの内容を第１の表示部に表示する機能と、
受信した電子メール内に特定キーワードが含まれているか否かを判別する機能と、
前記特定キーワードが含まれていることが判別された場合に、この特定キーワードに対応付けられているアプリケーションを起動する機能と、
前記起動されたアプリケーションの実行によって前記特定キーワードに関連する参考情報を特定する機能と、
前記特定された参考情報を第２の表示部に表示する機能と、
を実現させるためのプログラム。
【発明の詳細な説明】
【技術分野】
【０００１】
この発明は、少なくとも第１の表示部と第２の表示部とを備えた携帯端末装置及びプログラムに関する。
【背景技術】
【０００２】
近年、携帯電話装置には、本来の電話機能のほか、電子メール機能、カレンダ・スケジュール機能、テレビ放送受信機能など、各種のアプリケーションが組み込まれている。このような携帯電話装置において、例えば、電子メール機能を立ち上げて受信メールを開いた際に、日時、スケジュールの確認が必要なメール内容であれば、ユーザ操作によってカレンダ・スケジュール機能を別途起動させて、その日時で問題がないかを確認するようにしているが、メール画面からカレンダ・スケジュール画面への切り替えは、ユーザ操作によって行うようにしているため、画面を交互に見比べる場合には、切り替え操作を何回も繰り返す必要があり、また、表示内容の見比べも容易には行えなかった。
【０００３】
ところで、操作部筐体と表示部筐体とを折り畳み可能な携帯電話装置では、表示部筐体の表面側に主要なメイン表示部（表面表示部）が配置され、その背面側にサブ表示部（背面）表示部が配置されており、この装置本体が折り畳まれている状態においてサブ表示部に現在日時あるいは着信相手の電話番号を表示するようにしているが、従来では、予め設定したスケジュール日時に達した際に、サブ表示部を利用してスケジュール報知を行うようにした技術が知られている（特許文献１参照）。
【特許文献１】特開２００４−３２５９６号公報
【発明の開示】
【発明が解決しようとする課題】
【０００４】
しかしながら、上述の先行技術であってもサブ表示部は、装置本体が折り畳まれている状態での簡易表示として利用されているにすぎず、メイン表示部とサブ表示部とを別々に利用するものであった。
【０００５】
この発明の課題は、少なくとも第１の表示部と第２の表示部とを相互に関連付けて有効に利用できるようにすることである。
【課題を解決するための手段】
【０００６】
請求項１記載の発明（第１の発明）は、少なくとも第１の表示部と第２の表示部とを備えた携帯端末装置であって、複数のアプリケーションを個別に実行処理する実行手段と、この実行手段によって実行されるアプリケーションの処理内容を前記第１の表示部に表示させる第１の表示制御手段と、前記実行アプリケーションの処理内容に応じてそれに関連する参考情報を特定する特定手段と、この特定手段によって特定された参考情報を前記第２の表示部に表示させる第２の表示制御手段とを具備したことを特徴とする。
更に、コンピュータに対して、上述した請求項１記載の発明に示した主要機能を実現させるためのプログラムを提供する（請求項１１記載の発明）。
【０００７】
なお、上述した請求項１記載の発明は次のようなものであってもよい。
表示部筐体と操作部筐体との配置関係を変えることで装置本体を複数のスタイルに変更可能な携帯端末装置であって、表示部筐体の表裏両面のうちその一方に前記第１の表示部を配置し、他方に前記第２の表示部を配置した状態において、前記第１の表示部がユーザに対面する第１のスタイルから前記第２の表示部がユーザに対面する第２のスタイルに変更された際に、前記第２の表示制御手段は、前記特定された参考情報を前記第２の表示部に表示させる（請求項２記載の発明）。
【０００８】
前記実行手段によってアプリケーションが実行開始された際、あるいは前記第１のスタイルから前記第２のスタイルに変更された際に、前記特定手段は、当該実行アプリケーションに関連する参考情報を特定する（請求項３記載の発明）。
【０００９】
前記実行アプリケーションが電子メールを処理するメールアプリケーションである場合に、前記第１の表示部には、当該メールアプリケーションによって処理されたメール内容が表示され、前記第２の表示部には、このメール内容の表示時に日時確認用として参考される可能性があるカレンダ情報が参考情報として表示される（請求項４記載の発明）。
【００１０】
前記カレンダ情報には、ユーザが任意に設定したスケジュール情報が対応付けられており、ユーザ操作でカレンダ情報からスケジュール情報への切り替えが指示された際に、このスケジュール情報を前記第２の表示部に切り替え表示させる（請求項５記載の発明）。
【００１１】
前記メール本文を解析しながらその中に日付が含まれているか否かを判別する判別手段を設け、この判別手段による判別の結果、日付が含まれていれば、この日付を含むカレンダ情報を前記第２の表示部に表示させ、日付が含まれていなければ、現在日を含むカレンダ情報を前記第２の表示部に表示させる（請求項６記載の発明）。
【００１２】
前記メール本文を解析しながらその中に特定キーワードが含まれているか否かを判別する判別手段を設け、この判別手段による判別の結果、特定キーワードが含まれていれば、前記第２の表示部に参考情報を表示させる（請求項７記載の発明）。
【００１３】
前記実行アプリケーションがテレビ放送受信アプリケーションである場合に、前記第１の表示部には、当該メールアプリケーションによって受信処理された放送内容が表示され、前記第２の表示部には、この放送内容の表示時に番組確認用として参考される可能性がある情報が参考情報として表示される（請求項８記載の発明）。
【００１４】
請求項９記載の発明（第２の発明）は、少なくとも第１の表示部と第２の表示部とを備えた携帯端末装置であって、受信した電子メールの内容を前記第１の表示部に表示させる第１の表示制御手段と、受信した電子メール内に特定キーワードが含まれているか否かを判別する判別手段と、この判別手段によって特定キーワードが含まれていることが判別された場合に、この特定キーワードに対応付けられているアプリケーションを起動する起動手段と、この起動手段によって起動されたアプリケーションの実行によって前記特定キーワードに関連する参考情報を特定する特定手段と、この特定手段によって特定された参考情報を前記第２の表示部に表示させる第２の表示制御手段とを具備したことを特徴とする。
更に、コンピュータに対して、上述した請求項９記載の発明に示した主要機能を実現させるためのプログラムを提供する（請求項１２記載の発明）。
【００１５】
なお、上述した請求項９記載の発明は次のようなものであってもよい。
表示部筐体と操作部筐体との配置関係を変えることで装置本体を複数のスタイルに変更可能な携帯端末装置であって、表示部筐体の表裏両面のうちその一方に前記第１の表示部を配置し、他方に前記第２の表示部を配置した状態において、前記第１の表示部がユーザに対面する第１のスタイルから前記第２の表示部がユーザに対面する第２のスタイルに変更された際に、前記第２の表示制御手段は、前記特定された参考情報を前記第２の表示部に表示させる（請求項１０記載の発明）。
【発明の効果】
【００１６】
第１の発明は、第１の表示部と第２の表示部とを相互に関連付けて有効に利用することができ、特に、第１の表示部では実行アプリケーションの処理内容を確認することができ、第２の表示部ではその処理内容に関連する参考情報を確認することができる。
【００１７】
第２の発明は、第１の表示部と第２の表示部とを相互に関連付けて有効に利用することができ、特に、第１の表示部では受信した電子メールの内容を確認することができ、第２の表示部では、このメール内容に関連するアプリケーションの起動で得られた参考情報を確認することができる。
【発明を実施するための最良の形態】
【００１８】
（実施例１）
以下、図１〜図７参照して本発明の第１実施例を説明する。
この実施例は、携帯端末装置として携帯電話装置に適用した場合を例示したもので、図１は、携帯電話装置における通信ネットワークシステムを示したブロック図である。
携帯電話装置１は、最寄りの基地局２、交換機３から携帯無線通信網（公衆移動体通信網）４に接続されていると共に、この携帯無線通信網４を介してインターネット５に接続されており、電子メールなどの送受信をインターネット５経由で実行可能となっている。携帯電話装置１は、通話機能、電子メール機能、インターネット接続機能（Ｗｅｂアクセス機能）などが備えられている。メールサーバ６は、各登録会員（加入者）のメールアドレスなどを記憶管理しており、インターネット５を介して各登録会員宛のメールを受信すると、その宛先のメールアドレスなどを特定し、最寄りの交換機３、基地局２を通して受信メールをその宛先の携帯電話装置１に送信するが、その宛先の携帯電話装置１が圏外に居る場合や電源オフ状態などであれば、この受信メールを一時保管する。
【００１９】
図２は、携帯電話装置１の外観斜視図である。
この装置本体は、操作部筐体１Ａと表示部筐体１Ｂとをヒンジ部１Ｃを介して折り畳み自在に取り付けられたもので、操作部筐体１Ａと表示部筐体１Ｂとの配置関係を変えることで装置本体を複数のスタイル（オープンスタイル、クローズスタイル）に変更可能となっている。図２（Ａ）は、操作部筐体１Ａに対して表示部筐体１Ｂを開いたオープンスタイルを示し、（Ｂ）は、操作部筐体１Ａに対して表示部筐体１Ｂを閉じたクローズスタイルを示している。
【００２０】
表示部筐体１Ｂの表面側にはメイン画面１Ｄが配置され、また、その背面側（裏面側）にはサブ画面１Ｅが配置されており、メイン画面１Ｄがユーザに対面する状態のオープンスタイルからサブ画面１Ｅがユーザに対面する状態のクローズスタイルに変更された際に、サブ画面１Ｅには、メイン画面１Ｄの表示内容に関連する参考情報を表示するようにしている。例えば、メイン画面１Ｄに受信メールの内容が表示されている場合に、このメール内容に含まれている日付に関連するカレンダ情報あるいはスケジュール情報をサブ画面１Ｅに表示するようにしている。また、操作部筐体１Ａの一側部には、クローズスタイルでも操作可能な複数のサイドキーＳＫが設けられている。        
【００２１】
図３は、携帯電話装置１の基本的な構成要素を示したブロック図である。
携帯電話装置１は、通話機能、電子メール機能、インターネット接続機能（Ｗｅｂアクセス機能）などのほか、カレンダ機能、スケジュール機能、テレビ放送受信機能などが備えられている。ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図５〜図７に示す動作手順に応じて本実施例を実現するためのプログラムが格納されており、そのデータ領域には、年間の行動予定などを記憶管理するスケジュール管理テーブルＳＤなどが設けられている。
【００２２】
なお、記憶部１２には、各種のアプリケーションとして、メール処理用のアプリケーション（メールアプリ）、スケジュール処理用のアプリケーション（スケジュールアプリ）、地図情報をダウンロード受信するアプリケーション（地図アプリ）、テレビ放送受信用のアプリケーション（テレビアプリ）などが格納されており、ＣＰＵ１１は、これらのアプリケーションを個別に実行処理する。記録メディア１３は、着脱自在な可搬型メモリで、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００２３】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８からの入力音声を音響制御部１６から取り込み、送信ベースバンド信号に符号化したのち、送受信部の送信側に与えてアンテナから発信出力させる。一方、電子メール機能、インターネット接続機能によって電話通信部１５を介して受信取得した表示データは、表示制御部１９を介してメイン表示部２０に与えられて表示出力される。
【００２４】
メイン表示部２０は、表示部筐体１Ｂの表面側に配置されたメイン画面１Ｄを有し、文字、画像などを高品位に表示可能な液晶表示ディスプレイあるいは有機ＥＬディスプレイなどである。サブ表示部２１は、表示部筐体１Ｂの背面側（裏面側）に配置されたサブ画面１Ｅを有し、現在日時、メッセージ、アイコンなどを表示するほか、カレンダ情報あるいはスケジュール情報も高品位に表示可能な液晶表示ディスプレイあるいは有機ＥＬディスプレイなどである。なお、サブ画面１Ｅは、メイン画面１Ｄに比べて、ほぼ１／２の大きさとなっているが、その大きさは任意である。
【００２５】
キー操作部２２は、ダイヤル入力、文字入力、コマンド入力などを行うもので、電話発信キー、メール送信キー、テレビオン／オフキーなどのほか、着信上述したサイドキーＳＫを有し、ＣＰＵ１１は、キー操作部２２からのキー入力信号に応じた処理を実行する。報知部２３は、サウンドスピーカ、ＬＥＤ(発光ダイオード)、振動モータを備え、電話・メール着信時に駆動されて着信報知を行うほか、アラーム報知時にも駆動される。ＲＴＣ（リアルタイムクロックモジュール）２４は、時計部を構成するもので、ＣＰＵ１１は、ＲＴＣ２４から現在日時を取得する。スタイル検出部２５は、操作部筐体１Ａと表示部筐体１Ｂとの開閉状態を検出する磁気センサあるいはマイクロスイッチなどであり、その開閉に応じてスタイル検出信号を出力してＣＰＵ１１に与える。
【００２６】
テレビ放送受信部２６は、携帯電話などの携帯受信機向けの地上波デジタルテレビ放送を受信するもので、テレビ映像及び音声情報以外にも電子番組表(ＥＰＧ)なども含めて受信可能である。テレビ放送受信部２６は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、メイン表示部２０から表示出力され、また、テレビ音声データは、上述のサウンドスピーカから出力される。
【００２７】
図４は、サブ画面１Ｅにカレンダ情報／スケジュール情報が表示された場合の表示例を示した図である。
図４（Ａ）は、サブ画面１Ｅに１ヶ月分のカレンダ情報が表示された状態を示し、（Ｂ）は、このカレンダ情報に日付をキーとして対応付けられているスケジュール情報に切り替え表示された状態を示している。この場合、カレンダ画面上において任意の日付を指定してその切り替えを指示することによってカレンダ画面からスケジュール画面に切り替えられるが、その際、ＣＰＵ１１は、任意指定の日付に基づいてスケジュール管理テーブルＳＤを検索し、該当するスケジュール内容を読み出してサブ画面１Ｅに表示させる。ここで、日付の指定と画面の切り替え指示は、上述した複数のサイドキーＳＫを使用して行うようにしている。
【００２８】
次に、この第１実施例における携帯電話装置の動作概念を図５〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２９】
図５〜図７は、電源投入に伴って実行開始される携帯電話装置の全体動作を示したフローチャートである。
先ず、ＣＰＵ１１は、電話通信部１５を作動させて現在位置を登録する待受処理を行うと共に、所定の待受画像を読み出して表示出力させながら電話／メールの待受状態となる（図５のステップＡ１）。この待受状態において、メール受信の有無をチェックし（ステップＡ２）、キー操作有無をチェックする（ステップＡ３）。ここで、何らかのキー操作が行われると（ステップＡ３でＹＥＳ）、メール作成を指示する操作であるかを調べ（ステップＡ４）、それ以外のキー操作であれば、操作キーに対応する処理として、例えば、電話発信処理、電話着信処理、スケジュール情報を任意に設定するスケジュール設定処理などを行ったのち（ステップＡ５）、待受状態に戻る（ステップＡ１）。
【００３０】
いま、電話通信部１５からメールを受信すると（ステップＡ２でＹＥＳ）、ＣＰＵ１１は、スタイル検出部２５からその検出信号を取得して、オープンスタイルであるかを判別し（ステップＡ６）、オープンスタイルであれば、メイン画面１Ｄから着信メッセージを表示させて着信報知を行うが（ステップＡ７）、クローズスタイルであれば（ステップＡ６でＮＯ）、サブ画面１Ｅから着信メッセージを表示させて着信報知を行ったのち（ステップＡ９）、クローズスタイルからオープンスタイルに変更されるまで待機する（ステップＡ１０）。
【００３１】
オープンスタイルにおいて受信メールの内容を閲覧するためにオフフック操作が行われると（ステップＡ８）、図６のフローに移り、ＣＰＵ１１は、メールアプリを起動してメール処理を実行開始させたのち（ステップＡ１１）、メイン画面１Ｄをオンさせて受信メールの内容をメイン画面１Ｄに表示させる（ステップＡ１２）。言い換えれば、実行アプリケーションの処理内容をメイン画面１Ｄに表示させる。この状態において、何らかのキー操作が行われたかをチェックし（ステップＡ１３）、オープンスタイルからクローズスタイルに変更されたかをチェックする（ステップＡ１４）。このキー操作あるいはクローズ操作の待ち状態において、何らかのキー操作が行われた際には（ステップＡ１３でＹＥＳ）、受信メールに対して返信を指示する返信操作が行われたか（ステップＡ１５）、メール処理の終了を指示する終了操作が行われたかを調べ（ステップＡ１７）、それ以外の操作であれば（ステップＡ１７でＮＯ）、その操作キーに対応する処理として、例えば、画面スクロール、メール保存処理などの処理が行われる（ステップＡ１８）。
【００３２】
また、メール処理の終了を指示する終了操作が行われた場合には（ステップＡ１７でＹＥＳ）、メール処理を終了させたのち（ステップＡ１９）、待受状態に戻るが（ステップＡ１）、メール返信操作が行われた際には（ステップＡ１５でＹＥＳ）、この返信メールの内容をメイン画面１Ｄから表示させる（ステップＡ１６）。そして、クローズ操作（ステップＡ２２）、キー操作待ち状態において（ステップＡ２３）、何らかのキー操作が行われると（ステップＡ２３でＹＥＳ）、それがメール送信を指示する送信操作であれば（ステップＡ２４でＹＥＳ）、この返信メール（作成メール）をその相手宛に送信したのち（ステップＡ２５）、メール処理を終了させて（ステップＡ１９）、待受状態に戻るが（ステップＡ１）、メール編集操作であれば（ステップＡ２６でＹＥＳ）、メール内容を編集する編集処理を行ったのち（ステップＡ２７）、クローズ操作待ち状態に戻る（ステップＡ２２）。
【００３３】
いま、クローズ操作が行われた場合、つまり、オープンスタイルからクローズスタイルに変更された場合には（ステップＡ１４でＹＥＳあるいはステップＡ２２でＹＥＳ）、図７のフローに移り、メイン画面１Ｄをオフすると共にサブ画面１Ｅをオンしたのち（ステップＡ２８）、メール本文内の文字、数字情報を解析して日付の有無を判別する（ステップＡ２９）。例えば、催しの案内メールであれば、その開催日の有無を調べ、“平成１６年１２月１０日”、“２００６／１２／１０”などのようにメール本文に日付が含まれていれば、その日付を基準日として特定するが（ステップＡ３０）、メール本文に日付が含まれていなければ（ステップＡ２９でＮＯ）、ＲＴＣ２４から取得した現在日を基準日として特定する（ステップＡ３１）。そして、スケジュールアプリを起動してスケジュール処理を実行開始させたのち（ステップＡ３２）、上述のようにして特定した基準日を含む月のカレンダ情報をサブ画面１Ｅに表示させる（ステップＡ３３）。なお、基準日が月末であれば、翌月分を含めた１ヶ月分のカレンダを生成してサブ画面１Ｅに表示させるようにしてもよい。
【００３４】
このように実行アプリケーションの処理内容がメイン画面１Ｄに表示されている状態において、オープンスタイルからクローズスタイルへの変更に応じてサブ画面１Ｅには、この処理内容に関連する参考情報（基準日を含む月のカレンダ情報）が表示される。このサブ画面１Ｅにカレンダ情報が表示されている状態において、スケジュール確認操作が行われたかをチェックする（ステップＡ３４）。この場合、クローズスタイルでも操作可能なサイドキーＳＫによってスケジュール確認操作が行われると（ステップＡ３４でＹＥＳ）、ＣＰＵ１１は、スケジュール管理テーブルＳＤをアクセスし、操作対応のスケジュール内容を読み出してサブ画面１Ｅに表示させる（ステップＡ３５）。
【００３５】
例えば、カレンダ内の任意の日付を指定してその日のスケジュール確認を指示すると、この指定日のスケジュール内容がサブ画面１Ｅに表示される（図４（Ｂ）参照）。この状態において、クローズスタイルからオープンスタイルに変更されたかを調べ（ステップＡ３６）、スタイルが変更されるまでステップＡ３４に戻り、スケジュール確認操作を受付可能とする。いま、クローズスタイルからオープンスタイルに変更されると（ステップＡ３６でＹＥＳ）、メイン画面１Ｄをオンし、サブ画面１Ｅをオフして（ステップＡ３７）、スケジュールアプリを終了させると共に（ステップＡ３８）、ＲＴＣ２４から取得した現在日時をサブ画面１Ｅに表示させたのち（ステップＡ３９）、図６のステップＡ１２に戻り、メイン画面１Ｄにメール内容を表示させる。
【００３６】
一方、送信メールの作成が指示された場合には（図５のステップＡ４でＹＥＳ）、図６のステップＡ２０に移り、メールアプリを起動してメール処理を実行開始させたのち、メール作成用のフォームをメイン画面１Ｄに表示させる（ステップＡ２１）。そして、上述の場合と同様、クローズ操作（ステップＡ２２）、キー操作待ち状態において（ステップＡ２３）、送信操作が行われると（ステップＡ２４でＹＥＳ）、この作成メールをその相手宛に送信する送信処理が実行し（ステップＡ２５）、メール編集操作が行われると（ステップＡ２６でＹＥＳ）、メール内容を編集する編集処理を実行する（ステップＡ２７）。また、クローズ操作が行われると（ステップＡ２２でＹＥＳ）、図７のフローに移り、サブ画面１Ｅにカレンダ情報が表示される（ステップＡ２８〜Ａ３３）。以下、上述と同様の動作が行われ、オープン操作に応じて（ステップＡ３６でＹＥＳ）、メイン画面１Ｄには作成メールが表示される（図６のステップＡ１２）。
【００３７】
以上のように、この第１実施例においてＣＰＵ１１は、実行されているアプリケーションの処理内容をメイン画面１Ｄに表示させ、この実行アプリケーションの処理内容に応じてそれに関連する参考情報を特定してサブ画面１Ｅに表示させることにより、メイン画面１Ｄとサブ画面１Ｅとを相互に関連付けて有効に利用することができ、特に、メイン画面１Ｄでは実行アプリケーションの処理内容を確認することができ、サブ画面１Ｅではその処理内容に関連する参考情報を確認することができる。
【００３８】
表示部筐体１Ｂの表面にメイン画面１Ｄを配置し、その裏面にサブ画面１Ｅを配置した状態において、オープンスタイルからクローズスタイルに変更された際に、ＣＰＵ１１は、サブ画面１Ｅに参考情報を表示させることにより、特別なキー操作を行うことなく、オープンスタイルからクローズスタイルに変更するだけで参考情報を容易に確認することが可能となる。
【００３９】
メイン画面１Ｄには受信メールの内容が表示され、サブ画面１Ｅには日付確認用として参考される可能性があるカレンダ情報が参考情報として表示されるので、例えば、催しの案内メールを受信した場合には、その開催日を含む１ヶ月分のカレンダをサブ画面１Ｅで確認することができる。
【００４０】
この場合、このカレンダ情報は、日付をキーとしてスケジュール情報に対応付けられており、ユーザ操作でスケジュールへの切り替えが指示された際に、スケジュール内容をサブ画面１Ｅに切り替え表示させることにより、具体的な予定内容を知ることができ、日付確認が確実なものとなる。
【００４１】
また、メール本文を解析しながらその中に日付が含まれているか否かを判別し、日付が含まれていれば、この日付を含むカレンダ情報をサブ画面１Ｅに表示させ、日付が含まれていなければ、現在日を含むカレンダ情報をサブ画面１Ｅに表示させることにより、受信したメール内容に応じて的確なカレンダ情報を表示させることができる。
【００４２】
なお、上述した第１実施例においては、オープンスタイルからクローズスタイルに変更された際に、サブ画面１Ｅに参考情報を表示させるようにしたが、例えば、メールアプリを起動してメール処理を実行開始させた際に、そのメール内容に応じて参考情報を特定してサブ画面１Ｅに表示させるようにしてもよい。これによって特別な操作を行うことなく、参考情報を容易に確認することが可能となる。つまり、スタイルを変更しなくても、オープンスタイルのまま装置本体を１８０°近く回転させるだけで参考情報を確認することが可能となる。この場合、メール処理を開始してから終了するまでの間、サブ画面１Ｅに参考情報を常時表示させるようにしてもよい。
【００４３】
なお、上述した第１実施例においては、メール本文中に日付が含まれていれば、この日付を含むカレンダ情報をサブ画面１Ｅに表示させたが、その日付のスケジュール内容をサブ画面１Ｅに表示させるようにしてもよい。すなわち、最初にスケジュール画面を表示させ、その後の画面切り替え指示に応答してカレンダ画面に切り替えるようにしてもよい。また、カレンダ情報、スケジュール情報に限らず、表示される参考情報の種類は問わない。
（実施例２）
【００４４】
以下、この発明の第２実施例について図８を参照して説明する。
なお、上述した第１実施例においては、メール本文中に日付が含まれているか否かを判別してカレンダ情報をサブ画面１Ｅに表示させるようにしたが、この第２実施例においては、メール本文中に特定キーワードが含まれてるい否かを判別してサブ画面１Ｅにカレンダ情報を表示させるようにしたものである。
ここで、両実施例において基本的あるいは名称的に同一のものは、同一符号を付して示し、その説明を省略すると共に、以下、第２実施例の特徴部分を中心に説明するものとする。
【００４５】
図８は、第２実施例においてメール受信後のメール処理を示したフローチャートである。
先ず、ＣＰＵ１１は、オープンスタイルにおいて受信メールを閲覧するためにメールアプリの起動が指示されると、メール処理を実行開始すると共に（ステップＢ１）、メイン画面１Ｄをオンして受信メールの内容をメイン画面１Ｄに表示させる（ステップＢ２）。そして、メール本文内の文字、数字情報を解析して日付の有無を判別し（ステップＢ３）、メール本文に日付が含まれていれば、その日付を基準日として特定するが（ステップＢ４）、メール本文に日付が含まれていなければ（ステップＢ３でＮＯ）、メール本文中に日付関連キーワードが含まれているかを判別する（ステップＢ５）。この日付関連キーワードは、キーワードテーブル（図示せず）に設定されていて、例えば、“都合”、“予定”、“スケジュール”、“招待”、“出席”のように日付に関連して使用される可能性の高いデータであり、予め用意されているデータのほか、ユーザ操作によって任意に追加登録されたデータである。
【００４６】
ここで、メール本文中に日付関連キーワードが含まれていなければ（ステップＢ５でＮＯ）、ＲＴＣ２４から取得した現在日を基準日として特定する（ステップＢ６）。そして、スケジュールアプリを起動してスケジュール処理を実行開始させたのち（ステップＢ７）、上述のようにして特定した基準日を含む月のカレンダ情報をサブ画面１Ｅに表示させる（ステップＢ８）。この場合、ＣＰＵ１１は、このカレンダ情報に基づいてスケジュール管理テーブルＳＤを検索し、当該カレンダ情報の日付毎にスケジュールの設定有無をチェックし、スケジュールが設定されている日付を点滅表示あるいは色分け表示などによってカレンダ画面内に識別表示するようにしている。なお、この場合においても基準日が月末であれば、翌月分を含めた１ヶ月分のカレンダを生成してサブ画面１Ｅに表示させるようにしてもよい。
【００４７】
この状態において、何らかのキー操作が行われるまで待ち状態となるが（ステップＢ９）、何らかのキー操作が行われると、メール処理の終了を指示する終了操作か（ステップＢ１０）、メール返信を指示する返信操作かをチェックし（ステップＢ１１）、それ以外の操作であれば（ステップＢ１１でＮＯ）、その操作キーに対応する処理として、例えば、画面スクロール、メール保存処理などの処理を行ったのち（ステップＢ１２）、キー操作待ちとなる（ステップＢ９）。また、メール処理の終了操作であれば、この時点でメール処理の終了となるが、返信操作であれば（ステップＢ１１でＹＥＳ）、この返信メールの内容をメイン画面１Ｄから表示させる（ステップＢ１３）。そして、メール編集処理（ステップＢ１４）、返信メール送信処理を行い（ステップＢ１５）、スケジュールアプリが起動中であれば（ステップＢ１６でＹＥＳ）、それを終了させたのち（ステップＢ１７）、キー操作待ちとなる（ステップＢ９）。
【００４８】
以上のように、この第２実施例においてＣＰＵ１１は、メール本文中に日付関連キーワードが含まれているかを判別し、都合”、“予定”、“招待”のように日付に関連するキーワードが含まれていれば、カレンダ情報を確認する可能性があるので、サブ画面１Ｅにカレンダ情報を表示させることにより、メール本文の内容に応じてサブ画面１Ｅにカレンダ情報を表示させか否かを制御することができる。その他、メイン画面１Ｄとサブ画面１Ｅとを相互に関連付けて有効に利用することができるなど、第２実施例においても、上述した第１実施例と同様の効果を有する。この場合、スタイル変更に拘わらず、サブ画面１Ｅにはカレンダ情報が表示されるので、装置本体を裏返ししたり、表向きにしたりするだけで、メール内容の確認とカレンダ情報の確認を交互に行うことができる。
【００４９】
なお、上述した第２実施例においては、サブ画面１Ｅにカレンダ情報を表示させるようにしたが、スケジュール情報を表示するようにしてもよく、表示される参考情報は、日付に関連する情報であれば、その種類を問わない。また、日付関連キーワードに限らず、任意に設定したキーワード、例えば、メール本文中に氏名などが含まれている場合には、その氏名などをキーとしてアドレス帳を検索し、該当者に関する情報（例えば、住所、趣味、勤務先、顔写真など）を読み出してサブ画面１Ｅに表示させるようにしてもよい。また、オープンスタイルからクローズスタイルに変更された際に、サブ画面１Ｅに参考情報を表示させるようにしてもよい。
（実施例３）
【００５０】
以下、この発明の第３実施例について図９を参照して説明する。
なお、上述した第１・２実施例においては、メール処理時に適用した場合を例示したが、この第３実施例は、テレビ放送受信処理時に適用した場合むである。
ここで、第１実施例と第３実施例において基本的あるいは名称的に同一のものは、同一符号を付して示し、その説明を省略すると共に、以下、第３実施例の特徴部分を中心に説明するものとする。
【００５１】
図９は、第３実施例においてテレビアプリ起動後のテレビ放送受信処理を示したフローチャートである。
先ず、ＣＰＵ１１は、テレビ放送受信部２６を起動させてテレビ放送を受信開始すると共に（ステップＣ１）、メイン画面１Ｄをオンしてその放送内容をメイン画面１Ｄに表示させる（ステップＣ２）。この状態において、キー操作有無をチェックし（ステップＣ３）、
何らかのキー操作が行われると、その操作キーに対応する処理として、例えば、音量調整処理、チャンネル切り替え処理などを行ったのち（ステップＣ４）、上述のステップＣ２に戻るが、操作無しタイミングでは（ステップＣ３でＮＯ）、電子番組表をダウンロード受信しておく（ステップＣ５）。
【００５２】
そして、クローズ操作の有無を調べるが（ステップＣ６）、いま、オープンスタイルからクローズスタイルに変更された場合には、メイン画面１Ｄをオフすると共にサブ画面１Ｅをオンしたのち（ステップＣ７）、現在の受信チャンネルを含むページの番組表を読み出して（ステップＣ８）、このページの番組表をサブ画面１Ｅに表示させる（ステップＣ９）。ここで、番組表切り替え操作の有無を調べ（ステップＣ１０）、その切り替え操作が行われた場合には、それに応答して次ページの番組表に切り替え表示させる（ステップＣ１１）。そして、オープン操作が行われるまで（ステップＣ１２）、上述のステップＣ９に戻るが、クローズスタイルからオープンスタイルに変更された場合には（ステップＣ１２でＹＥＳ）、メイン画面１Ｄをオンし、サブ画面１Ｅをオフして（ステップＣ１３）、サブ画面１Ｅに現在日時を表示させたのち（ステップＣ１４）、上述のステップＣ２に戻り、以下、上述の動作を繰り返す。
【００５３】
以上のように、この第３実施例においてＣＰＵ１１は、テレビアプリを起動してテレビ放送受信部２６で受信した放送内容をメイン画面１Ｄに表示させ、サブ画面１Ｅには、番組確認用として参考される可能性がある番組表が参考情報として表示されることにより、メイン画面１Ｄとサブ画面１Ｅとを相互に関連付けて有効に利用することができ、オープンスタイルからクローズスタイルに変更するだけで参考情報を容易に確認することが可能となるなど、第３実施例においても、上述した第１実施例と同様の効果を有する。
【００５４】
なお、上述した第３実施例においては、サブ画面１Ｅにダウンロード受信したテレビ番組表を表示するようにしたが、メイン画面１Ｄに現在表示されている番組内容に応じてその番組に関する情報（例えば、出演者名、対戦成績など）をサブ画面１Ｅに表示させるようにしてもよい。
（実施例４）
【００５５】
以下、この発明の第４実施例について図１０及び図１１を参照して説明する。
なお、上述した第２実施例においては、例えば、“都合”、“予定”などの日付関連キーワードがメール本文中に日付が含まれているか否かを判別するようにしたが、この第４実施例においては、キーワードとして具体的な日時が含まれているか、場所関連キーワードがメール本文中に含まれているか否か判別し、日時キーワードが含まれている場合には、その日時を含むスケジュール表をサブ画面１Ｅに表示させ、場所関連キーワードが含まれていれば、その場所を含む地図情報をインターネット経由でダウンロード受信してサブ画面１Ｅに表示するようにしたものである。
ここで、第１・第２実施例と第４実施例において基本的あるいは名称的に同一のものは、同一符号を付して示し、その説明を省略すると共に、以下、第３実施例の特徴部分を中心に説明するものとする。
【００５６】
図１０及び図１１は、第４実施例においてメール受信後のメール処理を示したフローチャートである。
先ず、ＣＰＵ１１は、オープンスタイルにおいて受信メールを閲覧するためにメールアプリの起動が指示されると、メール処理を実行開始して（ステップＤ１）、メイン画面１Ｄをオンして受信メールの内容をメイン画面１Ｄに表示させる（ステップＤ２）。そして、メール本文内の文字、数字情報を解析して、日時キーワードが含まれているかを判別する（ステップＤ３）。日時キーワードは、“平成１６年１２月１０日”、“２００６／１２／１０”などのように具体的な日時を示したもので、この日時キーワードが含まれていれば、スケジュールアプリを起動してスケジュール処理を実行開始させ（ステップＤ４）、スケジュール管理テーブルＳＤをアクセスし、このキーワード日時を含むスケジュール表を取得しておく（ステップＤ５）。
【００５７】
また、日時キーワードが含まれていなければ（ステップＤ３でＮＯ）、メール本文内を解析して場所関連キーワードが含まれているかを判別する（ステップＤ６）。場所関連キーワードは、キーワードテーブル（図示せず）に設定されていて、例えば、“会場”、“場所”、“会館”、“駅”、“公園”、“スタジアム”のように場所に関連して使用される可能性の高いデータであり、予め用意されているデータのほかに、ユーザ操作によって任意に追加登録されたデータである。この場所関連キーワードが含まれていれば（ステップＤ６でＹＥＳ）、地図アプリを起動し（ステップＤ７）、キーワード場所を含む地図データをダウンロード取得する（ステップＤ８）。すなわち、メール本文内に場所関連キーワードとして、例えば、“駅”が含まれている場合には、その前の文字列（具体的な駅名）を含めて、“○○駅”の地図を要求する信号を電話通信部１５から発信し、これに応答して地図サービスセンタ（図示せず）から送信されてくる地図データ（“○○駅”近辺の地図）をダウンロード受信して取得しておく。
【００５８】
そして、図１１のフローに移り、キー操作（ステップＤ９）、クローズ操作待ち状態において（ステップＤ１０）、何らかのキー操作が行われると（ステップＤ９でＹＥＳ）、それがメール処理の終了を指示する終了操作であれば（ステップＤ１１でＹＥＳ）、メールアプリを終了する（ステップＤ１３）。そして、メールアプリ以外の他のアプリ（スケジュールアプリあるいは地図アプリ）が起動中であれば（ステップＤ１４でＹＥＳ）、そのアプリを終了する（ステップＤ１５）。一方、終了操作以外の操作が行われた場合には（ステップＤ１１でＮＯ）、その操作キーに対応する処理として、例えば、画面スクロール、メール保存処理などの処理を行ったのち（ステップＤ１２）、キー操作待ちとなる（ステップＤ９）。
【００５９】
また、オープンスタイルからクローズスタイルに変更された際には（ステップＤ１０でＹＥＳ）、メイン画面１Ｄをオフさせると共に、メールアプリ以外の他のアプリが起動中であるかを判別し（ステップＤ１６）、他のアプリが起動中であれば、そのアプリで取得したデータ（スケジュール表あるいは地図データ）をサブ画面１Ｅに表示させる（ステップＤ１７）。そして、オープン操作が行われるまで（ステップＤ１８でＹＥＳ）、上述のステップＤ１７に戻る。ここで、クローズスタイルからオープンスタイルに変更されると（ステップＤ１８でＹＥＳ）、サブ画面１Ｅをオフし（ステップＤ１９）、サブ画面１Ｅをオンしたのち（ステップＤ２０）、キー待ち状態に戻る（ステップＤ９）。
【００６０】
以上のように、この第４実施例においてＣＰＵ１１は、メイン画面１Ｄに受信メールの内容を表示させている状態において、このメール内容に特定キーワード（日時キーワード／場所キーワード）が含まれているか否かを判別し、特定キーワードが含まれていれば、この特定キーワードに対応するアプリケーションを起動し、この起動アプリによって得られた参考情報をサブ画面１Ｅさせることにより、メイン画面１Ｄとサブ画面１Ｅとを相互に関連付けて有効に利用することができ、特に、メイン画面１Ｄでは受信メールの内容を確認することができ、サブ画面１Ｅでは、このメール内容に関連するスケジュールアプリ／地図アプリの起動で得られたスケジュール表／地図を確認することができる。また、オープンスタイルからクローズスタイルに変更するだけで参考情報を容易に確認することが可能となるなど、第４実施例においても、上述した第１実施例と同様の効果を有する。
【００６１】
なお、上述した第４実施例においては、サブ画面１Ｅにスケジュール表／地図データを表示させるようにしたが、例えば、メール本文中に氏名などが含まれている場合には、アドレス帳に関する処理を行うアプリケーションを起動し、その氏名などをキーとしてアドレス帳を検索し、該当者に関する情報（例えば、住所、趣味、勤務先、顔写真など）を読み出してサブ画面１Ｅに表示させるようにしてもよい。
【００６２】
上述した各実施例においては、操作部筐体１Ａと表示部筐体１Ｂとをヒンジ部１Ｃを介して折り畳み自在に取り付けた構成の携帯電話装置を例示したが、操作部筐体１Ａに対して表示部筐体１Ｂを１８０°回転可能に取り付けてなる２軸回転型の携帯電話装置にも適用可能である。この場合、オープンスタイルにおいて、操作部筐体１Ａに対して表示部筐体１Ｂを回転させることによってメイン画面１Ｄがユーザに対面している状態からサブ画面１Ｅがユーザに対面しているスタイルに変更した際に、サブ画面１Ｅに参考情報を表示するようにしてもよい。
【００６３】
また、スタイル変更に応じてサブ画面１Ｅに参考情報を表示する場合に限らず、装置本体の姿勢を検出する姿勢検出センサを設け、ユーザの持ち方によってメイン画面１Ｄがユーザに対面している状態（表向き状態）か、サブ画面１Ｅがユーザに対面している状態（裏向き状態）かを判別し、メイン画面１Ｄ、サブ画面１Ｅのオン／オフを制御し、裏向き状態の場合に、サブ画面１Ｅに参考情報を表示するようにしてもよい。
その他、携帯電話装置に限らず、例えば、ＰＤＡ、電子カメラ、電子腕時計、音楽再生機などの携帯端末装置であっても同様に適用可能である。
【図面の簡単な説明】
【００６４】
【図１】携帯端末装置として適用した携帯電話装置の通信ネットワークシステムを示したブロック図。
【図２】携帯電話装置１の外観斜視図。
【図３】携帯電話装置１の基本的な構成要素を示したブロック図。
【図４】（Ａ）は、サブ画面１Ｅに１ヶ月分のカレンダ情報が表示された状態を示し、（Ｂ）は、このカレンダ情報に日付をキーとして対応付けられているスケジュール情報に切り替え表示された状態を示した図。
【図５】電源投入に伴って実行開始される携帯電話装置の全体動作を示したフローチャート。
【図６】図５に続くフローチャート。
【図７】図６に続くフローチャート。
【図８】第２実施例においてメール受信後のメール処理を示したフローチャート。
【図９】第３実施例においてテレビアプリ起動後のテレビ放送受信処理を示したフローチャート。
【図１０】第４実施例においてメール受信後のメール処理を示したフローチャート。
【図１１】図１０に続くフローチャート。
【符号の説明】
【００６５】
１  携帯電話装置
４  携帯無線通信網
５  インターネット
６  メールサーバ
１Ａ  操作部筐体
１Ｂ  表示部筐体
１Ｄ  メイン画面
１Ｅ  サブ画面
１１  ＣＰＵ
１２  記憶部
１５  電話通信部
２０  メイン表示部
２１  サブ表示部
２２  キー操作部
２４  ＲＴＣ
２５  スタイル検出部
２６  テレビ放送受信部
ＳＤ  スケジュール管理テーブル
【図１】
2008153904.tif 000003
【図２】
2008153904.tif 000004
【図３】
2008153904.tif 000005
【図４】
2008153904.tif 000006
【図５】
2008153904.tif 000007
【図６】
2008153904.tif 000008
【図７】
2008153904.tif 000009
【図８】
2008153904.tif 000010
【図９】
2008153904.tif 000011
【図１０】
2008153904.tif 000012
【図１１】
2008153904.tif 000013